(57)【要約】  本発明は、塵埃、ゴミに対する捕捉能力に優れた清掃シートを提供する。  本発明の清掃シートは、基材シート（２）と、この基材シート（２）に接合される清掃面形成シート（３）とからなり、基材シート（２）と清掃面形成シート（３）との接合部（６、６）相互間において、清掃面形成シート（２）に弛み部（５）を形成すると共に、弛み部（５）に、塵埃、ゴミを捕捉するための切れ目（７）を多数形成してなるものである。
2010029902.tif 000002
【特許請求の範囲】
【請求項１】
基材シートと、この基材シートに接合される清掃面形成シートとからなり、基材シートと清掃面形成シートとの接合部相互間において、清掃面形成シートに弛み部を形成すると共に、弛み部に、塵埃、ゴミを捕捉するための切断部を多数形成してなることを特徴とする清掃シート。
【請求項２】
清掃面形成シートの弛み部において、基材シートと清掃面形成シートとの接合部相互間の基材シートに沿う距離Ｌ１と、前記接合部相互間の清掃面形成シートに沿う距離Ｌ２とが、Ｌ１＜Ｌ２の関係を有している請求項１記載の清掃シート。
【請求項３】
切断部は切れ目又は透孔として構成される請求項１記載の清掃シート。
【請求項４】
切断部は切れ目として構成され、切れ目の直線方向が接合部の長手方向に平行となるように多数の切れ目を配置してなる請求項１記載の清掃シート。
【請求項５】
清掃面形成シートの端縁部よりも内側の部位を基材シートに接合して接合部を形成し、この接合部と清掃面形成シートの端縁部との間に清掃面形成シートの延長部を形成し、この延長部に切れ込みを設けて短冊部を形成した請求項１記載の清掃シート。
【請求項６】
清掃面形成シートの端縁部よりも内側の部位を基材シートに接合して接合部を形成し、この接合部と清掃面形成シートの端縁部との間に清掃面形成シートの延長部を形成し、この延長部に帯状片を設けた請求項１記載の清掃シート。
【請求項７】
延長部及び帯状片に切れ込みを設けて短冊部を形成した請求項６記載の清掃シート。
【請求項８】
清掃面形成シートの端縁部よりも内側の部位を基材シートに接合して接合部を形成し、この接合部と清掃面形成シートの端縁部との間に清掃面形成シートの延長部を形成し、この延長部に、基部とこの基部から折れ曲がった斜面部とからなる折曲板を設けた請求項１記載の清掃シート。
【請求項９】
折曲板の斜面部には、粘着面が形成されている請求項８記載の清掃シート。
【請求項１０】
清掃面形成シートの端縁部よりも内側の部位を基材シートに接合して接合部を形成し、この接合部と清掃面形成シートの端縁部との間に清掃面形成シートの延長部を形成し、この延長部を折り曲げて彎曲状折曲部を設け、この彎曲状折曲部に切れ込みを設けて中空状短冊部を形成した請求項１記載の清掃シート。
【請求項１１】
基材シートと清掃面形成シートとの接合部を複数設けて、清掃面形成シートに複数の弛み部を形成した請求項１記載の清掃シート。
【請求項１２】
複数の弛み部は相互に高さが異なっており、清掃面形成シートの中心部において最も高さが大きく、清掃面形成シートの端部に向かって順次高さが小さくなるように形成される請求項１１記載の清掃シート。
【請求項１３】
複数の弛み部相互間に、多数の開口穴を有する平坦部を設け、各平坦部を接着剤を介して基材シートに接合して接合部を形成する請求項１１記載の清掃シート。
【請求項１４】
平坦部と基材シートとの間に接着剤層が形成され、平坦部の開口穴を通して接着剤層が外部に露出している請求項１３記載の清掃シート。
【請求項１５】
清掃面形成シートは、基材シートの表裏両面に接合されている請求項１記載の清掃シート。
【請求項１６】
基材シート及び清掃面形成シートは、それぞれ不織布から構成される請求項１記載の清掃シート。
【発明の詳細な説明】
【技術分野】
【０００１】
本発明は、家屋の床、壁などを清掃するときに用いる清掃シートに関する。
【背景技術】
【０００２】
家屋の床、壁、窓、或いは家具などに付着した塵埃、ゴミを除去するための清掃シートとして、従来から種々の製品が提供されており、多くの製品は、不織布を材料として清掃シートを製作している。清掃シートは、長い柄を備えた清掃器具の台板に取り付けて、台板に保持された状態で用いられる。或いは、清掃シートは、比較的短い握り柄と、脚部を有する清掃器具に適用し、脚部を清掃シートの保持部に差し込むことで清掃シートを握り柄に保持した状態で用いられる。
不織布を材料とする清掃シートは、通常、使い捨てタイプの製品であり、製造コストが安価であると共に、拭き取り能力に優れていることが求められている。【０００３】
特許文献１は、不織布からなるシートに多数の切れ目を設けてなる清掃シートを開示している。この清掃シートによれば、切れ目に塵埃、ゴミが捕捉されることで被清掃面に対する清掃が行われる。
【先行技術文献】
【特許文献】
【０００４】
【特許文献１】実開平３−６５５４８号公報
【発明の概要】
【発明が解決しようとする課題】
【０００５】
特許文献１に示す清掃シートは、不織布シートに何らの加工を施さない清掃シートに比較して拭き取り能力は向上するが、塵埃、ゴミの捕捉量は未だ十分なものではなかった。
特に、粒状の比較的大きなゴミに対しては、捕捉能力は小さいものであった。
本発明は、上記問題点に鑑み、粒状の比較的大きなゴミに対しても確実に捕捉でき、効率的に清掃を行うことができる清掃シートを提供することを目的とする。
【課題を解決するための手段】
【０００６】
本発明は、基材シートと、この基材シートに接合される清掃面形成シートとからなり、基材シートと清掃面形成シートとの接合部相互間において、清掃面形成シートに弛み部を形成すると共に、弛み部に、塵埃、ゴミを捕捉するための切断部を多数形成してなることを特徴とする清掃シートである。
清掃面形成シートの弛み部において、基材シートと清掃面形成シートとの接合部相互間の基材シートに沿う距離Ｌ１と、前記接合部相互間の清掃面形成シートに沿う距離Ｌ２とが、Ｌ１＜Ｌ２の関係を有している。
切断部は切れ目として構成しても、或いは透孔として構成してもよい。切れ目又は透孔の形状は任意に構成できる。
切断部を切れ目として構成した場合、切れ目の直線方向が接合部の長手方向に平行となるように多数の切れ目を配置して所定パターンの切れ目を形成することが好ましい。【０００７】
清掃面形成シートと基材シートとの接合部の位置を清掃面形成シートの端縁部としてもよいが、前記端縁部よりも内側の部位を基材シートに接合して接合部を形成してもよい。後者の場合、前記接合部と清掃面形成シートの端縁部との間に清掃面形成シートの延長部が形成される。この延長部に切れ込みを設けて短冊部を形成することができる。
前記延長部に帯状片を設けることができ、また延長部及び帯状片に切れ込みを設けて短冊部を形成することができる。
前記延長部に、基部とこの基部から折れ曲がった斜面部とからなる折曲板を設けることができ、この場合、折曲板の斜面部には、粘着面を形成することが好ましい。
前記延長部を折り曲げて彎曲状折曲部を設け、この彎曲状折曲部に切れ込みを設けて中空状短冊部を形成することができる。【０００８】
基材シートと清掃面形成シートとの接合部を複数設けて、清掃面形成シートに複数の弛み部を形成することができ、この場合、複数の弛み部を相互に高さが異なるように形成することができる。弛み部の相互高さが異なる態様としては、清掃面形成シートの中心部において最も高さが大きく、清掃面形成シートの端部に向かって順次高さが小さくなるように形成することが好ましい。
清掃面形成シートに複数の弛み部を設けるに当り、複数の弛み部相互間に、多数の開口穴を有する平坦部を設け、各平坦部を接着剤を介して基材シートに接合して接合部を形成することができる。このように平坦部が接着剤を介して基材シートに接合されることにより、平坦部と基材シートとの間に接着剤層が形成される。この接着剤層は、平坦部の開口穴を通して外部に露出している。【０００９】
清掃面形成シートは、基材シートの一方の面に接合されていても、或いはその表裏両面に接合されていてもよい。
基材シート及び清掃面形成シートは、それぞれ不織布から構成することが好ましい。
【発明の効果】
【００１０】
本発明清掃シートは、基材シートと、この基材シートに接合される清掃面形成シートとからなり、基材シートと清掃面形成シートとの接合部相互間において、清掃面形成シートに弛み部を形成すると共に、弛み部に、塵埃、ゴミを捕捉するための切断部を多数形成してなるものであるから、本発明清掃シートを用いて被清掃面を清掃するに当たり、清掃面形成シートにおける弛み部に皺が生じて不規則な形状の屈曲部が形成され、それにより、清掃シートと被清掃面との間の摩擦力が大きくなり、この大きな摩擦力が働くことによって清掃面形成シートに形成された切断部に塵埃、ゴミが確実に捕捉され、塵埃、ゴミの捕捉量を増大できる。
従って、本発明によれば、簡単な構造でありながら拭き取り能力を著しく増大できるものであり、また製造が容易であり、製造コストも安価で済むなどの効果を奏するものである。
【図面の簡単な説明】
【００１１】
【図１】図１ａは、切断部として切れ目を形成した本発明実施形態を示す斜視図、図１ｂは、図１ａのＩ−Ｉ線縦断面図である。
【図２】複数の弛み部を設けた本発明の実施形態を示す縦断面図である。
【図３】清掃面形成シートを基材シートの表裏両面に設けた本発明の実施形態を示す縦断面図である。
【図４】図４ａ、４ｂ、４ｃ、４ｄは、それぞれ切れ目の形成パターンを示す平面図である。
【図５】図５ａは、本発明の清掃シートを清掃器具に取り付けた状態を示す斜視図、図５ｂは、図５ａの部分縦断面図である。
【図６】図６ａ、６ｂ、６ｃ、６ｄは、それぞれ本発明の作用を説明するための模式図である。
【図７】図７ａ、７ｂは、それぞれ基材シートと清掃面形成シートとの接合部相互間の基材シートに沿う距離Ｌ１と、前記接合部相互間の清掃面形成シートに沿う距離Ｌ２との関係を示す説明図である。
【図８】本発明の他の実施形態を示す縦断面図である。
【図９】図９ａ、９ｂは、それぞれ本発明の他の実施形態を示す縦断面図である。
【図１０】本発明の他の実施形態を示す縦断面図である。
【図１１】図１１ａ、１１ｂはそれぞれ本発明の他の実施形態を示す平面図である。
【図１２】本発明の他の実施形態を示す縦断面図である。
【図１３】本発明の他の実施形態を示す斜視図である。
【図１４】図１４ａ、１４ｂは、それぞれ切断部として透孔を形成した清掃面形成シートを示す平面図である。
【図１５】切断部として透孔を形成した本発明実施形態を示す斜視図である。
【図１６】本発明の他の実施形態を示す縦断面図である。
【図１７】図１７ａは、本発明の他の実施形態を示す斜視図、図１７ｂは、図１７ａに示す清掃シートを清掃器具に取り付けて清掃を行うときの本発明の作用を示す模式図である。
【図１８】本発明の他の実施形態を示す斜視図である。
【図１９】本発明の他の実施形態を示す斜視図である。
【図２０】接合部を非連続状に形成した本発明の実施形態を示す平面図である。
【発明を実施するための形態】
【００１２】
本発明の清掃シート１は、図１ａ、１ｂに示すように、基材シート２と、塵埃、ゴミを捕捉するための切断部を多数形成してなる清掃面形成シート３とからなる。切断部としては、清掃面形成シート３に切断刃を押し当てて小さな切れ目を多数切断形成したものでも、或いは清掃面形成シート３にスリット形状、円形状などの切り欠きを施して小孔を多数形成したものでもよい。このように、本発明において切断部は、切れ目として構成される態様と、小孔として構成される態様とを含む。切断部が切れ目７として構成される態様は図１ａに示されている。同図に示すように、切れ目７は所定のパターンで多数形成されている。
図１ａ、１ｂに示すように、清掃シート１は、矩形状の基材シート２と矩形状の清掃面形成シート３との間に空間部８が形成されるように清掃面形成シート３を弛ませた状態で基材シート２に接合してなるものである。
同図に示すように、矢印Ａ−Ｂで示す方向が、清掃面形成シート３に弛みを持たせる方向となっている。
【００１３】
図１ａ、１ｂに示すように、清掃面形成シート３の左右両端縁部を基材シート２に接合し、接合部６を形成する。同図において、一方の端縁部における接合部を６ａとして表わし、他方の端縁部における接合部を６ｂとして表わす。
接合部６ａ、６ｂは、基材シート２の左右両端縁部位置よりも所定間隔をおいて内側の位置に形成されていると共に、これらの接合部６ａ、６ｂは、基材シート２の左右両端縁部と平行な方向（図１ａにおいて矢印Ｃ−Ｄ方向）に形成されている。
清掃面形成シート３を弛ませた状態で基材シート２に接合することにより、清掃面形成シート３には、凸状の弛み部５が形成される。
清掃面形成シート３の弛み部５において、基材シート２と清掃面形成シート３との接合部６ａ、６ｂ相互間の基材シート２に沿う距離Ｌ１（図１ｂ、図７ａ）と、前記接合部６ａ、６ｂ相互間の清掃面形成シート３に沿う距離Ｌ２（図１ｂ、図７ａ）とが、Ｌ１＜Ｌ２の関係を有している。即ち、Ｌ１は、基材シート２における接合部６ａ、６ｂ間の水平直線距離であり、またＬ２は、清掃面形成シート３を平らに展開した場合における接合部６ａ、６ｂ間の水平直線距離である。
【００１４】
基材シート２と弛み部５との間には、空間部８が形成されている。清掃面形成シート３の切れ目７は、清掃面形成シート３の表面側から裏面側まで貫通して形成されており、従って、切れ目７は、空間部８と連通している。
切れ目７の形状は直線状、曲線状、屈曲線状、直線と曲線の組み合わせからなる形状など任意の形状に形成できる。図１ａには、直線状の切れ目７を形成した態様が示されている。
図１ａに示す清掃面形成シート３において、切れ目７の直線方向が接合部６の長手方向（矢印Ｃ−Ｄ方向）に平行となるように多数の直線状の切れ目７を配置している。このような切れ目７を有する清掃面形成シート３を平らに展開した図が、図４ａに示されている。
この図４ａに示すように、清掃面形成シート３において、個々の切れ目７は、清掃面形成シート３に弛みを持たせる方向（矢印Ａ−Ｂ方向）に沿って所定間隔ごとに多数形成されており、この一群が、切れ目列９を形成している。さらに、切れ目列９は、矢印Ｃ−Ｄ方向に沿って複数列形成されており、これら切れ目列９の集合体が、切れ目列群１０を形成している。
【００１５】
図１ａに示す清掃シート１において、清掃面形成シート３が接合されている左右両端縁部よりも外側の部分には、清掃面形成シート３で覆われていない基材シート２の端部領域が露出しており、この基材シート端部領域は図１ａにおいて、取付部１７として示されている。取付部１７は、清掃シート１を清掃器具の台板に取り付けるに当って、台板に係止固定するための固定片として機能する。
清掃シート１を構成する基材シート２と清掃面形成シート３のそれぞれの材料としては、不織布、紙、織布、合成樹脂など種々の材料を用いることができるが、軽量性、強度、耐久性、接着性の点から、不織布を用いることが好ましい。
基材シート２と清掃面形成シート３をそれぞれ不織布にて形成する場合、不織布としては、スパンレース不織布、スパンボンド不織布、サーマルボンド不織布、エアスルー不織布、ポイントボンド不織布等を用いることができる。不織布を構成する繊維は、天然繊維、合成繊維、複合繊維等を用いることができる。
【００１６】
清掃面形成シート３は、伸縮性に優れる材質からなるものであることが好ましい。清掃面形成シート３が伸縮性に優れていると、図１ａに示す切れ目の構成パターンにおいては、清掃時に被清掃面との間の摩擦により切れ目７が引っ張られて口を開きやすくなり、その結果、塵埃、ゴミの捕捉が容易となる。伸縮性に優れる材料としては、スパンレース不織布が挙げられる。
清掃シートを清掃器具の台板に取り付ける際に、その取付強度を大きなものとするために、基材シート２の材質としては、スパンボンド不織布或いはエアスルー不織布であることが好ましい。
基材シート２及び清掃面形成シート３は、それぞれ、１枚の不織布から構成してもよく或いは、不織布を複数枚重ねあわせた積層体から構成してもよい。
【００１７】
基材シート２は、部分的に材質が異なっていてもよい。例えば、基材シート２のうちの、取付部１７を構成する部分は、伸縮性の小さい材質のものとし、それ以外の部分を伸縮性に優れた材質のものとすることができる。
基材シート２と清掃面形成シート３は、共に同一の着色が施されていても或いは、異なった着色が施されていてもよい。また、基材シート２及び清掃面形成シート３は、それぞれ部分的に異なる着色部を有するように構成されていてもよい。このように構成することで、清掃シート１のデザイン性をより向上させることができる。
【００１８】
基材シート２と清掃面形成シート３の形状は矩形状に限定されず、例えば、多角形状、楕円形状など任意の形状とすることができる。
図１ａに示す清掃面形成シート３（これを平らに展開した平面図が図４ａに示されている）において、切れ目７の直線方向が接合部６の長手方向（矢印Ｃ−Ｄ方向）と平行となるように直線状の切れ目７が形成されているが、切れ目７の態様として図１ａ、図４ａに示す態様のものに限定されず、図４ｂに示すように、切れ目７の直線方向が前記矢印Ｃ−Ｄ方向と直交する方向となるように直線状の切れ目７が形成されていてもよい。また、特に図示しないが、切れ目７の直線方向が前記矢印Ｃ−Ｄ方向に対して９０度よりも小さい角度で交差する方向となるように直線状の切れ目７が形成されていてもよい。
【００１９】
更に、図４ｃに示すように、切れ目７の直線方向が矢印Ｃ−Ｄ方向と平行となるような切れ目７と、切れ目７の直線方向が前記矢印Ｃ−Ｄ方向と直交する方向となるような切れ目７を交互に複数組み合わせて切れ目列９を構成するようにしてもよい。
また、図４ｄに示すように、切れ目７の直線方向が矢印Ｃ−Ｄ方向と平行となるような切れ目７を複数設けてなる切れ目列９ａと、切れ目７の直線方向が前記矢印Ｃ−Ｄ方向と直交する方向となるような切れ目７を複数設けてなる切れ目列９ｂとを交互に配置して切れ目列群を構成してもよい。
切れ目７は規則的なパターンで配置される態様のものに限定されず、不規則なパターンで配置されていてもよい。
【００２０】
図１に示す清掃シート１においては、接合部６は直線状に形成されているが、これに限定されず、接合部６の線形状は曲線状であってもよい。また接合部６は非連続状に形成されていてもよい。
接合部６の形成方法としては、ヒートシール、接着剤による接着、超音波シールなどを挙げることができる。
上記接着剤としては、ホットメルト型接着剤、二液硬化型接着剤、熱可塑性樹脂系接着剤、エラストマー系接着剤、熱硬化樹脂系接着剤、瞬間接着型接着剤などを用いることができる。なかでも、加熱、冷却による迅速な接着作業が可能である観点からホットメルト型接着剤が好ましい。
【００２１】
接合部６を非連続状に形成するには、例えばヒートシールにて点状の熱融着部を形成する。図２０は、このような点状の熱融着部２６を形成した清掃シートの例を示す。図中、２７は非熱融着部である。
このように、接合部６を非連続状に形成した清掃シートにおいても、連続状の接合部６を形成した清掃シートの場合と同様、清掃時に塵埃、ゴミは例えば矢印Ｐ方向に導かれ、周囲に配置された切れ目７に捕捉され、塵埃、ゴミの拭き取りが行われる。
【００２２】
本発明清掃シートは、図５ａに示すような、長い柄７２とその先端に設けられた台板７０とからなる清掃器具７５に取り付けて用いることができる。清掃シート１は台板７０に取り付けられる。台板７０の下面８０、前端面８１、後端面及び上面端部付近は清掃シート１によって覆われ、清掃シート１の取付部１７が台板７０に設けられた係止具７１に係止されることにより清掃シート１は台板７０に固定される。
この状態において、基材シート２は台板７０に直接接触し、清掃面形成シート３は外側に現れている。
清掃シート１を台板７０に取り付けた状態において、切れ目７は台板７０の下面８０に対応して位置するが、台板７０の下面８０の端部Ｒより更に前端面８１にまで達して切れ目７が位置するように構成することが好ましい。尚、前端面８１に限らず同様に、後端面にまで切れ目７が位置するように構成することが好ましい。
【００２３】
前記の如くして清掃シート１を取り付けてなる清掃器具７５を用いて被清掃面を清掃するときの本発明の作用につき説明する。
図６ａに示すように、床５０の被清掃面５１に対向している清掃面形成シート３は弛み部５を有している。図６ｂに示すように、清掃面形成シート３を被清掃面５１に押し付け、矢印Ｅ−Ｆ方向に台板７０を動かすと、清掃面形成シート３の弛み部５に皺が生じて屈曲部２０が形成される。
屈曲部２０の形状は台板７０の移動距離、移動方向及び台板７０が被清掃面５１に対して押し付ける力の大きさによって不規則に変化するものであり、常に図６ｂに示すような形状の屈曲部２０が生じるとは限らず、例えば図６ｃに示すような形状の屈曲部２０が生じる場合もある。
【００２４】
このように台板７０の動きに伴って清掃面形成シート３に、不規則な形状の屈曲部２０が形成されるため、清掃シート１と被清掃面５１との間の摩擦力が大きくなり、この大きな摩擦力が働くことによって清掃面形成シート３に形成された切れ目７に塵埃、ゴミが確実に捕捉され、塵埃、ゴミの捕捉量を増大できる。
特に、切れ目７の直線方向が接合部６の長手方向に平行となるように切れ目７を配置してなる清掃シート（即ち、図１に示す態様の清掃シート）を用いた場合には、以下に述べるように本発明の作用効果は顕著なものとなる。ここで、切れ目７の直線方向が接合部６の長手方向に平行となる方向とは、図１において矢印Ｃ−Ｄ方向である。
図１に示す態様の清掃シートを用いた場合、切れ目７の直線方向（図１において矢印Ｃ−Ｄ方向）と台板７０の移動方向（図６ｂ、６ｃにおいて矢印Ｅ−Ｆ方向）とは相互に直角方向になる。
台板７０が被清掃面５１上を移動するときの摩擦力により、切れ目７はその直線方向と直角方向の力を受けて引っ張られるが、上記のように、清掃面形成シート３に、不規則な形状の屈曲部２０が形成されることによって、清掃シート１と被清掃面５１との間に大きな摩擦力が生じ、それにより、切れ目７の直線方向と直交する方向に切れ目７を引っ張る力も大きくなり、その結果、切れ目７の隙間が大きく開口し、そのため塵埃、ゴミが切れ目７に捕捉され易くなり、塵埃、ゴミの捕捉量も多大となって、拭き取り能力が向上する。
【００２５】
図４ｂに示すように、切れ目７の直線方向（図４ｂにおいて矢印Ａ−Ｂ方向）が接合部６（図１ａ）の長手方向（図４ｂにおいて矢印Ｃ−Ｄ方向）と直角方向となるように切れ目７を配置してなる場合、即ち、切れ目７の直線方向と台板７０の移動方向（図６ｂ、６ｃにおいて矢印Ｅ−Ｆ方向）とが平行である場合も同様に、上記した屈曲部２０による摩擦力増大という作用が生じ、この大きな摩擦力によって、切れ目７における塵埃、ゴミの捕捉も効率よく行われる。
清掃時に不規則な形状の屈曲部２０が形成されることによる作用効果は上記した通りであるが、上記以外に、屈曲部２０形成時にゴミが屈曲部２０に絡み付いてゴミの除去が容易となるという作用効果もある。
【００２６】
本発明清掃シートは、図５ａに示すような長い柄７２の先端に台板７０を設けた清掃器具７５に適用することに限定されるものではなく、比較的短い握り柄と挿入脚部を有する清掃器具に適用することも可能である。握り柄と脚部を有する清掃器具に本発明清掃シートを適用する場合、清掃面形成シート３とは反対側の基材シート２面に前記脚部を差し込むための保持部を設け、この保持部に前記脚部を差し込むことで本発明清掃シートを握り柄に保持し、握り柄を手で握って清掃を行うことができる。
また、本発明清掃シートを手袋構造（ミトン）に構成し、手袋内部に手を入れて、手で保持した状態で清掃を行なうこともできる。
本発明清掃シートを握り柄に保持して使用する場合及び手袋構造として使用する場合のいずれの場合も、上記したと同様の作用効果を生じるものである。
【００２７】
本発明の清掃シートにおいて、特に図示しないが、清掃面形成シート３にエンボス加工を施して、清掃面形成シート３に微細な凹凸を多数形成することができる。清掃面形成シート３に微細な凹凸を多数形成することにより、塵埃、ゴミの捕捉作用は一層向上する。
【００２８】
図２に示すように、基材シート２と清掃面形成シート３との接合部６を複数設けて、清掃面形成シート３に複数の弛み部を設けることができる。図２に示す態様では、５つの弛み部５ａ、５ｂ、５ｃ、５ｄ、５ｅが設けられている。
複数の弛み部５ａ、５ｂ、５ｃ、５ｄ、５ｅは、矢印Ａ−Ｂ方向に沿って並列して設けられる。即ち、基材シート２と清掃面形成シート３を接合する接合部６が所定間隔毎に複数設けられ、相隣り合う接合部６、６間に突起状の弛み部５ａ、５ｂ、５ｃ、５ｄ又は５ｅが形成される。弛み部５ａ、５ｂ、５ｃ、５ｄ、５ｅは、それぞれ空間部８を有している。
【００２９】
各接合部６、６間の距離は同一でも異なっていてもよい。即ち、幅寸法が同一である複数列の弛み部５ａ、５ｂ、５ｃ、５ｄ、５ｅを形成しても、或いは幅寸法が異なる複数列の弛み部５ａ、５ｂ、５ｃ、５ｄ、５ｅを形成してもよい。
また、弛み部５ａ、５ｂ、５ｃ、５ｄ、５ｅは、いずれも同じ高さに形成されていても、或いは弛み部相互間で高さを異ならせてもよい。例えば、図２に示す態様では、清掃面形成シート３の中心部における弛み部５ａは最も高さが大きく形成され、清掃面形成シート３の端部に向かって順次、弛み部の高さが小さくなるように形成されている。
この構成において、図７ｂに示す如く、清掃面形成シート３の弛み部５において、基材シート２と清掃面形成シート３との接合部６、６相互間の基材シート２に沿う距離Ｌ１と、前記接合部６、６相互間の清掃面形成シート３に沿う距離Ｌ２とが、Ｌ１＜Ｌ２の関係を有している。即ち、Ｌ１は、基材シート２における接合部６、６間の水平直線距離であり、またＬ２は、清掃面形成シート３を平らに展開した場合における接合部６、６間の水平直線距離である。
【００３０】
一般的に、清掃器具に清掃シートを取り付けて床を清掃したとき、清掃シートの全面に亘って均一に塵埃、ゴミが捕捉されずに、特定の部位に局部的に塵埃、ゴミが捕捉されるという傾向がある。局部的に塵埃、ゴミが捕捉される部位は主に、清掃器具の台板の前端部に対応した部位である。従って、清掃シートの中央付近は比較的塵埃、ゴミの捕捉量が少ない。
そこで前記したように、清掃面形成シート３の中心部の弛み部５ａの高さを最も大きく形成し、清掃面形成シート３の端部に向かって順次、弛み部の高さが小さくなるように形成すれば、清掃シートの中央付近にも確実に清掃時の力が及ぼされる。そのため清掃シートの前端付近のみならず、中央付近においても必要な拭き取り力が作用し、その結果、清掃シート全体で均一な塵埃、ゴミの捕捉を行うことができる。
【００３１】
本発明は、多数の切れ目７を有する清掃面形成シート３を弛ませた状態で、基材シート２の一方の面に接合してなる態様に限定されず、図３に示すように、前記清掃面形成シート３を基材シート２の表裏両面に接合して設けるようにしてもよい。
【００３２】
本発明は、図８に示すように、清掃面形成シート３と基材シート２との接合部６の位置を、清掃面形成シート３の端縁部とせずに、端縁部よりも内側に引っ込んだ位置とすることができる。即ち、清掃面形成シート３の端縁部よりも内側の部位を基材シート２に接合して接合部６を形成することができる。
それにより接合部６と清掃面形成シート３の端縁部との間に清掃面形成シート３の延長部１８が形成される。この延長部１８は、端部清掃面１９として構成される。
図１１ａに示すように、延長部１８に多数の切れ込みを設けることによって多数の短冊部２３が形成される。短冊部２３を形成することにより、この短冊部２３の部分でも塵埃、ゴミの拭き取りを行うことができる。
【００３３】
図１６及び図１７ａ、１７ｂに示すように、清掃面形成シート３の左右の延長部１８のそれぞれに、その長手方向に沿って折曲板３１を設けることができる。折曲板３１は、図１６に示すように、１枚の細長いシートを２つに折り曲げた形状を有し、基部３２とこの基部３２から折れ曲がった斜面部３３とからなり、斜面部３３は折曲部３４を基点に所定角度に立ち上がっている。
折曲板３１はヒートシール、接着剤による接着などにより、延長部１８に接合される。３５は、延長部１８と折曲板３１との接合部を示す。
斜面部３３の基部３２対応面には粘着剤を塗布するか、粘着テープを貼着して粘着面３３ａが形成されている。一方、基部３２の斜面部３３対応面には剥離剤を塗布するか、剥離テープを貼着して剥離性面３２ａを形成し、これにより粘着面３３ａを有する斜面部３３が基部３２と接触して両者が接合してしまうのを防止している。上記粘着剤、剥離剤としては従来公知のものを用いることができる。
折曲板３１は、プラスチック、不織布などの材料から構成される。プラスチックで構成する場合、斜面部３３を弾性片として機能させることができる。上記プラスチック材料としては、ポリプロピレン、ポリエチレン、ＰＥＴなどを用いることができる。
【００３４】
折曲板３１は、プラスチック、不織布などからなるシート材料を長手方向に沿って２つ折りすることにより製作できる。また、折曲板３１は、プラスチック材料の射出成形、押出成形などにより製造できる。
折曲板３１を設けた清掃シート１を図１７ｂに示すように清掃器具７５の台板７０に取り付けて被清掃面５１の清掃を行なう場合、折曲板３１における斜面部３３が塵埃、ゴミを引っ掛けて一方向に掃く役割を果たす。このように折曲板３１は、端部清掃面１９として機能する。
また斜面部３３と基部３２との間に、隙間が形成されているので、大きなゴミはこの隙間に入り込む。ここにおいて、斜面部３３の内面には粘着面３３ａが形成されているので、隙間に入り込んだ大きなゴミは、この粘着面３３ａによって確実に捕捉される。このように折曲板３１を設けることにより、粒状のゴミの如く比較的大きく、重量の大きなゴミを容易に捕集して除去できる効果がある。
【００３５】
清掃面形成シート３を基材シート２上に接合するに当り、図１２に示すように、清掃面形成シート３の左右両端縁部をそれぞれ内側に折り曲げて彎曲状折曲部２２を形成し、これらの彎曲状折曲部２２の位置においてヒートシールなどの接合手段を施し、清掃面形成シート３と基材シート２を接合するようにしてもよい。図１２において、それぞれの彎曲状折曲部２２の基端部付近が接合され、接合部６ａ、６ｂが形成される。
更に、彎曲状折曲部２２に多数の切れ込みを設けることによって、図１３に示すように清掃面形成シート３の左右両端部に中空状短冊部２４を設けることができる。
中空状短冊部２４を設けた場合には、中空状短冊部２４が塵埃、ゴミを拭き取る作用を行うため清掃効率を増大できる効果がある。このように彎曲状折曲部２２は、端部清掃面１９として機能する。
【００３６】
図９ａに示すように、清掃面形成シート３の左右両端部における延長部１８の上面にそれぞれ帯状片２１を設けることができる。それぞれの帯状片２１は接合部６の長手方向（図１における矢印Ｃ−Ｄ方向）に沿って、ヒートシール、接着剤による接着などの接合手段により延長部１８に接合される。
帯状片２１の材料としては、不織布、プラスチックなどが用いられるが、不織布が好ましい。不織布としては、清掃面形成シート３に用いられる不織布と同様の材質のものを用いることができる。
延長部１８と帯状片２のそれぞれに、図１１ｂに示すように、多数の切れ込みを設けて、短冊部２５を形成することができる。
図９ｂに示すように、清掃面形成シート３の延長部１８と基材シート２との間に帯状片２１を挟みこんだ状態で接合してもよい。
【００３７】
図１０は清掃面形成シート３のそれぞれの延長部分１８上に複数の帯状片２１ａ、２１ｂ、２１ｃを積層して設けた態様を示している。複数の帯状片２１ａ、２１ｂ、２１ｃの幅寸法（帯状片の長手方向とは直交する方向の寸法）は同一でも、異なっていてもよい。幅寸法を異ならせる場合、図１０に示すように、帯状片の積層体の最上層（帯状片２１ｃ）が最も幅寸法が大きくなるように構成することが好ましい。
このように構成することにより、例えば床の清掃に当たって、床のコーナー部の清掃が容易となる。即ち、帯状片の積層体における最上層の帯状片２１ｃが床のコーナー部に入り込んで、コーナー部の塵埃、ゴミを拭き取ることができる。
上記したように、延長部１８に設けられる帯状片２１もまた、端部清掃面１９として機能するものである。
【００３８】
上記した本発明の実施形態は、清掃面形成シートに設けられる切断部が切れ目７として構成される場合について述べたが、本発明はこれに限定されるものではなく、上記切断部は、図１４に示すように透孔であってもよい。即ち、図１４ａに示すように、上記切断部はスリット状或いは長円状の透孔３０として構成することができ、また図１４ｂに示すように、上記切断部は円形の透孔３０として構成することができる。透孔３０の形状は任意に設計でき、例えば四角形、菱形などでもよい。
図１５には、このような透孔３０を清掃面形成シート３に多数形成してなる清掃シートが示されている。
清掃面形成シート３に透孔３０を多数形成してなる清掃シートを用いて清掃を行なう場合も、前記したと同様な作用効果が発揮される。この場合、塵埃、ゴミは透孔３０に捕捉されて、塵埃、ゴミの拭き取りが行われる。
【００３９】
本発明の別の実施形態として、以下に説明するように、清掃シートに接着剤によるゴミ捕捉機能を併有させることができる。
図１８に示すように、清掃面形成シート３に複数の弛み部５を設け、それぞれの弛み部５相互間に平坦部６０を設ける。また、清掃面形成シート３の端部と弛み部５との間にも平坦部６０を設ける。これらの平坦部６０を接着剤により基材シート２に接着する。平坦部６０が基材シート２に接着されることにより、平坦部６０が、清掃面形成シート３と基材シート２との接合部６を形成する。
複数の弛み部５にはそれぞれ、切れ目７が設けられており、一方、複数の平坦部６０にはそれぞれ、多数の開口穴４０が形成されている。これらの開口穴４０を通して平坦部６０の内部に形成されている接着剤層が外部に露出して臨んでいる。
【００４０】
平坦部６０を基材シート２に接着するための接着剤として、常温でも接着性を維持する接着剤が用いられる。そのような接着剤として、ホットメルト型接着剤、二液硬化型接着剤、熱可塑性樹脂系接着剤、エラストマー系接着剤、熱硬化樹脂系接着剤、瞬間接着型接着剤等を適宜用いることができ、なかでもホットメルト型接着剤が好ましい。ホットメルト型接着剤として、国民淀粉化学（上海）有限公司製の商品番号「５Ｑ１２２Ｅ」や「ＤＭＣ５２６６」などを用いることができる。
【００４１】
上記の如く構成される清掃シートを用いて被清掃面の清掃を行うときは、上記した如き、切れ目７を有する清掃面形成シート３による塵埃、ゴミ捕捉機能が発揮されるだけでなく、次の如き機能が発揮される。
即ち、清掃シートを被清掃面に押し付けたとき、開口穴４０を通して外部に露出する接着剤層の表面が被清掃面に接触する。これにより、通常では捕捉しにくい比較的大きな粒状のゴミであっても、接着剤の粘着力によりそのようなゴミを付着して、被清掃面より除去することができる。このように、主に軽くて小さなゴミは、弛み部５の面で捕捉され、重くて大きなゴミは平坦部６０の面で捕捉されることになる。
ここにおいて、開口穴４０を通して外部に露出する接着剤層は、突出形状の弛み部５相互間の窪んだ部位に存在するため、接着剤層露出部が過度に被清掃面に粘着して清掃器具の動きを抑制するという虞はない。
【００４２】
図１８に示す本発明の実施形態は、弛み部５に切れ目７を形成してなる構造のものであるが、本発明の他の実施形態として、切れ目７に代えて、図１４ａ、１４ｂに示すような透孔３０を形成してなる構造のものでもよい。
このように、切れ目７に代えて、透孔３０を形成してなる実施形態を図１９に示す。同図に示す清掃シートは、開口穴４０を有する平坦部６０と、透孔３０を有する弛み部５とを備えている。この態様の清掃シートも図１８に示す清掃シートと同様の作用を発揮し、主に軽くて小さなゴミは、弛み部５の面で捕捉され、重くて大きなゴミは平坦部６０の面で捕捉される。
【００４３】
本発明清掃シートは清掃器具に取り付けて用いる形態のものに限定されず、シート状の形態のまま手で直接握って清掃を行なうこともできる。
また、本発明清掃シートは床の清掃以外に、壁、窓、天井、机、家具など、種々の清掃対象物の清掃に適用でき、特定の清掃目的に限定されるものではない。
【産業上の利用可能性】
【００４４】
本発明は、例えば床用の清掃器具に取り付けて床の清掃に用いることができ、清掃能力を向上できる清掃シートとして有益なものである。
【図１】
2010029902.tif 000003
【図２】
2010029902.tif 000004
【図３】
2010029902.tif 000005
【図４】
2010029902.tif 000006
【図５】
2010029902.tif 000007
【図６】
2010029902.tif 000008
【図７】
2010029902.tif 000009
【図８】
2010029902.tif 000010
【図９】
2010029902.tif 000011
【図１０】
2010029902.tif 000012
【図１１】
2010029902.tif 000013
【図１２】
2010029902.tif 000014
【図１３】
2010029902.tif 000015
【図１４】
2010029902.tif 000016
【図１５】
2010029902.tif 000017
【図１６】
2010029902.tif 000018
【図１７】
2010029902.tif 000019
【図１８】
2010029902.tif 000020
【図１９】
2010029902.tif 000021
【図２０】
2010029902.tif 000022
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
基材シートと、この基材シートに接合される清掃面形成シートとからなり、基材シートと清掃面形成シートとの接合部を、基材シートの端縁部と平行な方向に形成し、基材シートと清掃面形成シートとの接合部相互間において、清掃面形成シートに弛み部を形成すると共に、弛み部に、塵埃、ゴミを捕捉するための切断部を多数形成してなることを特徴とする清掃シート。
【請求項２】
清掃面形成シートの弛み部において、基材シートと清掃面形成シートとの接合部相互間の基材シートに沿う距離Ｌ１と、前記接合部相互間の清掃面形成シートに沿う距離Ｌ２とが、Ｌ１＜Ｌ２の関係を有している請求項１記載の清掃シート。
【請求項３】
切断部は切れ目又は透孔として構成される請求項１記載の清掃シート。
【請求項４】
切断部は切れ目として構成され、切れ目の直線方向が接合部の長手方向に平行となるように多数の切れ目を配置してなる請求項１記載の清掃シート。
【請求項５】
清掃面形成シートの端縁部よりも内側の部位を基材シートに接合して接合部を形成し、この接合部と清掃面形成シートの端縁部との間に清掃面形成シートの延長部を形成し、この延長部に切れ込みを設けて短冊部を形成した請求項１記載の清掃シート。
【請求項６】
清掃面形成シートの端縁部よりも内側の部位を基材シートに接合して接合部を形成し、この接合部と清掃面形成シートの端縁部との間に清掃面形成シートの延長部を形成し、この延長部に帯状片を設けた請求項１記載の清掃シート。
【請求項７】
延長部及び帯状片に切れ込みを設けて短冊部を形成した請求項６記載の清掃シート。
【請求項８】
清掃面形成シートの端縁部よりも内側の部位を基材シートに接合して接合部を形成し、この接合部と清掃面形成シートの端縁部との間に清掃面形成シートの延長部を形成し、この延長部に、基部とこの基部から折れ曲がった斜面部とからなる折曲板を設けた請求項１記載の清掃シート。
【請求項９】
折曲板の斜面部には、粘着面が形成されている請求項８記載の清掃シート。
【請求項１０】
清掃面形成シートの端縁部よりも内側の部位を基材シートに接合して接合部を形成し、この接合部と清掃面形成シートの端縁部との間に清掃面形成シートの延長部を形成し、この延長部を折り曲げて彎曲状折曲部を設け、この彎曲状折曲部に切れ込みを設けて中空状短冊部を形成した請求項１記載の清掃シート。
【請求項１１】
基材シートと清掃面形成シートとの接合部を複数設けて、清掃面形成シートに複数の弛み部を形成した請求項１記載の清掃シート。
【請求項１２】
複数の弛み部は相互に高さが異なっており、清掃面形成シートの中心部において最も高さが大きく、清掃面形成シートの端部に向かって順次高さが小さくなるように形成される請求項１１記載の清掃シート。
【請求項１３】
複数の弛み部相互間に、多数の開口穴を有する平坦部を設け、各平坦部を接着剤を介して基材シートに接合して接合部を形成する請求項１１記載の清掃シート。
【請求項１４】
平坦部と基材シートとの間に接着剤層が形成され、平坦部の開口穴を通して接着剤層が外部に露出している請求項１３記載の清掃シート。
【請求項１５】
清掃面形成シートは、基材シートの表裏両面に接合されている請求項１記載の清掃シート。
【請求項１６】
基材シート及び清掃面形成シートは、それぞれ不織布から構成される請求項１記載の清掃シート。
【国際調査報告】
2010029902.tif 000023
2010029902.tif 000024
2010029902.tif 000025
2010029902.tif 000026
2010029902.tif 000027
2010029902.tif 000028
2010029902.tif 000029